(57)【要約】【課題】情報処理装置としての画像形成装置における操作性を向上させる。【解決手段】画像形成装置の記憶部には、処理部によって実行された各々の処理の設定内容を含む処理情報が、各々の処理がなされた日時と対応付けて記憶されている。制御部は、操作者の操作を検出して、検出した操作によって設定内容が順次指定されると、記憶部に記憶されている複数の処理情報を、指定された設定内容が多く含まれる順番であり、さらにその順番が同じ場合には各々の処理情報に対応する処理がなされた日時が新しい順番に並べて、表示操作部に表示させる。そして、制御部は、表示された複数の処理情報のうちいずれかを指定して処理を指示する操作が行われると、その操作を検出し、その操作により指定された処理を処理部に実行させる。【選択図】図８
2008194953.tif 000002
【特許請求の範囲】
【請求項１】
複数の設定内容からなる処理を実行する処理実行手段と、
前記処理実行手段によって実行された各処理の設定内容を含む処理情報を記憶する処理情報記憶手段と、
操作者の操作を検出する操作検出手段と、
検出された前記操作によって１または複数の前記設定内容が順次指定されると、前記処理情報記憶手段に記憶されている複数の処理情報を、指定された前記設定内容に基づいて所定の順番に並べて表示手段に表示させる表示制御手段とを備え、
前記操作検出手段は、前記表示手段に表示された複数の処理情報のうち操作者によっていずれかを指示する操作が行われると、当該指示された操作を検出し、
前記処理実行手段は、前記操作検出手段によって検出された操作により指定された処理を実行する
ことを特徴とする情報処理装置。
【請求項２】
前記表示制御手段は、前記処理情報記憶手段に記憶されている複数の処理情報を、前記指定された前記設定内容が多く含まれる順番に並べて前記表示手段に表示させる
ことを特徴とする請求項１に記載の情報処理装置。
【請求項３】
前記処理情報記憶手段は、前記処理実行手段によって実行された各処理の設定内容を含む処理情報と、各処理がなされた日時とを対応付けて記憶し、
前記表示制御手段は、前記指定された前記設定内容が多く含まれる順番が同じ場合には、各々の処理情報に対応する処理がなされた日時が新しい順番で当該処理情報を並べて表示させる
ことを特徴とする請求項２に記載の情報処理装置。
【請求項４】
前記処理情報記憶手段は、前記処理実行手段によって実行された各処理の設定内容を含む処理情報のほか、前記操作検出手段によって検出された操作によって登録された設定内容を含む処理情報をその登録日時と対応付けて記憶し、
前記表示制御手段は、前記指定された前記設定内容が多く含まれる順番が同じ場合には、各々の処理情報に対応する前記登録日時が新しい順番に前記処理情報を並べて表示させる
ことを特徴とする請求項２に記載の情報処理装置。
【請求項５】
各々の前記設定内容と、当該設定内容に割り当てられた重みの大小を表す重み情報とを対応付けて記憶する重み情報記憶手段を備え、
前記表示制御手段は、前記重み情報記憶手段に記憶された重み情報を用いて、前記指定された前記設定内容が多く含まれる順番を特定する
ことを特徴とする請求項２に記載の情報処理装置。
【請求項６】
前記表示制御手段は、前記処理情報記憶手段に記憶されている各処理情報に含まれている設定内容のうち、前記指定された前記設定内容に割り当てられた重みの和を求め、求めた重みの和が大きい処理情報の順番を、前記指定された前記設定内容の組み合わせが多く含まれる順番として特定する
ことを特徴とする請求項５に記載の情報処理装置。
【請求項７】
前記重み情報記憶手段は、複数の前記設定内容の組み合わせと、当該組み合わせに割り当てられた重みの大小を表す重み情報とを対応付けて記憶し、
前記表示制御手段は、前記重み情報記憶手段に記憶された重み情報を用いて、前記指定された前記設定内容の組み合わせが多く含まれる順番を特定する
ことを特徴とする請求項５に記載の情報処理装置。
【請求項８】
前記表示制御手段は、
前記処理情報を、前記指定された前記設定内容が多く含まれる順番に並べて前記表示手段に表示させるとともに、
表示した各々の処理情報において、当該処理情報に含まれる設定内容を、割り当てられた重みが大きい順に並べて前記表示手段に表示させる
ことを特徴とする請求項５に記載の情報処理装置。
【請求項９】
前記処理実行手段は、画像情報を用いて処理を実行する処理実行手段であり、
前記処理情報記憶手段によって記憶される処理情報には、当該処理に用いられた画像情報が含まれており、
前記表示制御手段は、前記画像情報を前記処理情報として前記表示手段に表示させる
ことを特徴とする請求項１又は２に記載の情報処理装置。
【請求項１０】
前記表示制御手段は、前記処理実行手段によって実行された処理の複数の設定内容のうち、前記操作によって最後に指定された設定内容を、前記処理情報として前記表示手段に表示させる
ことを特徴とする請求項１又は２に記載の情報処理装置。
【請求項１１】
前記操作を行う操作者を識別し、当該操作者に割り当てられた操作者識別情報を特定する操作者特定手段を備え、
前記処理情報記憶手段は、前記処理実行手段によって処理が実行された際に前記操作者特定手段によって特定されている前記操作者識別情報を、各々の前記処理情報に対応付けて記憶し、
前記表示制御手段は、各々の前記処理情報に対応付けられて前記処理情報記憶手段に記憶されている前記操作者識別情報に固有の画像を、当該処理情報に対応させて前記表示手段に表示させる
ことを特徴とする請求項１又は２に記載の情報処理装置。
【請求項１２】
前記処理に関連する関連者を識別し、当該関連者に割り当てられた関連者識別情報を特定する関連者特定手段を備え、
前記処理情報記憶手段は、前記処理実行手段によって実行された処理の関連者の関連者識別情報を各々の前記処理情報に対応付けて記憶し、
前記表示制御手段は、各々の前記処理情報に対応付けられて前記処理情報記憶手段に記憶されている前記関連者識別情報に固有の画像を、当該処理情報に対応させて前記表示手段に表示させる
ことを特徴とする請求項１又は２に記載の情報処理装置。
【請求項１３】
前記処理情報記憶手段は、前記操作検出手段により検出された前記操作によって指定された複数の設定内容のうち、取り消された設定内容を除いた設定内容を含む処理情報を記憶する
ことを特徴とする請求項１又は２に記載の情報処理装置。
【請求項１４】
前記操作検出手段は、前記表示手段に表示された複数の処理情報のうちいずれかを指定して当該処理情報に含まれる設定内容を変更する操作が行われると、その操作を検出し、
前記表示制御手段は、前記操作に応じて、前記表示手段に表示させている当該設定内容を変更する
ことを特徴とする請求項１又は２に記載の情報処理装置。
【請求項１５】
前記表示制御手段は、前記表示手段に表示させた処理情報に含まれる設定内容のうち、前記操作検出手段によって検出された操作によって指定された設定内容を除いた設定内容を表示させる
ことを特徴とする請求項１又は２に記載の情報処理装置。
【請求項１６】
前記処理情報記憶手段によって記憶されている処理情報は、当該処理情報に対応する処理が実行されるのに先立って前記操作検出手段により検出された操作によって指定された設定内容と、前記操作に依らず予め指定された標準の設定内容とを含み、
前記表示制御手段は、前記処理情報記憶手段に記憶されている処理情報に含まれる設定内容を表示する際には、当該処理情報に対応する処理が実行されるのに先立って前記操作により指定された設定内容とともに、前記標準の設定内容を前記表示手段に表示させる
ことを特徴とする請求項１又は２に記載の情報処理装置。
【請求項１７】
前記処理情報記憶手段によって記憶されている処理情報は、当該処理情報に対応する処理が実行されるのに先立って前記操作検出手段により検出された操作によって指定された設定内容と、予め指定された標準の設定内容とを含み、
前記表示制御手段は、前記処理情報記憶手段に記憶されている処理情報に含まれる設定内容のうち、当該処理情報に対応する処理が実行されるのに先立って前記操作により指定された設定内容のみを前記表示手段に表示させる
ことを特徴とする請求項１又は２に記載の情報処理装置。
【請求項１８】
複数の設定内容からなる処理を実行する処理実行手段を備える第１の装置と、
前記処理実行手段によって実行された各処理の設定内容を含む処理情報を記憶する処理情報記憶手段を有する第２の装置と、
操作者の操作を検出する操作検出手段と、検出された前記操作によって１または複数の前記設定内容が順次指定されると、前記第２の装置の前記処理情報記憶手段に記憶されている複数の処理情報を、指定された前記設定内容に基づいて所定の順番に並べて表示手段に表示させる表示制御手段とを有する第３の装置とを備え、
前記第３の装置の前記操作検出手段は、前記表示手段に表示された複数の処理情報のうち操作者によっていずれかを指示する操作が行われると、当該指示された操作を検出し、検出した操作によって指定された処理の実行を前記第１の装置に指示し、
前記第１の装置の前記処理実行手段は、前記第３の装置から指示された処理を実行する
ことを特徴とする情報処理システム。
【請求項１９】
コンピュータを、
複数の設定内容からなる処理を実行する処理実行手段と、
前記処理実行手段によって実行された各処理の設定内容を含む処理情報を記憶する処理情報記憶手段と、
操作者の操作を検出する操作検出手段と、
検出された前記操作によって１または複数の前記設定内容が順次指定されると、前記処理情報記憶手段に記憶されている複数の処理情報を、指定された前記設定内容に基づいて所定の順番に並べて表示手段に表示させる表示制御手段として機能させ、
さらに、前記操作検出手段が、前記表示手段に表示された複数の処理情報のうち操作者によっていずれかを指示する操作が行われると、当該指示された操作を検出し、
前記処理実行手段が、前記操作検出手段によって検出された操作により指定された処理を実行するよう機能させるためのプログラム。
【発明の詳細な説明】
【技術分野】
【０００１】
本発明は、情報処理装置、情報処理システム及びプログラムに関する。
【背景技術】
【０００２】
プリンタ装置や複写機などの情報処理装置の高機能化が進んでいる。これに伴い、この種の情報処理装置において実行される処理の内容を設定するための操作が複雑化している。特許文献１〜５には、情報処理装置における操作を支援するための技術が開示されている。
【特許文献１】特開平０７−１６０４６２号公報
【特許文献２】特開２００２−００７０２０号公報
【特許文献３】特開２００２−２１５２７８号公報
【特許文献４】特開平０８−１２３６４５号公報
【特許文献５】特開２００５−２５９１６０号公報
【発明の開示】
【発明が解決しようとする課題】
【０００３】
本発明の目的は、情報処理装置における操作性を向上させることにある。
【課題を解決するための手段】
【０００４】
上記課題を解決するため、請求項１記載の発明は、複数の設定内容からなる処理を実行する処理実行手段と、前記処理実行手段によって実行された各処理の設定内容を含む処理情報を記憶する処理情報記憶手段と、操作者の操作を検出する操作検出手段と、検出された前記操作によって１または複数の前記設定内容が順次指定されると、前記処理情報記憶手段に記憶されている複数の処理情報を、指定された前記設定内容に基づいて所定の順番に並べて表示手段に表示させる表示制御手段とを備え、前記操作検出手段は、前記表示手段に表示された複数の処理情報のうち操作者によっていずれかを指示する操作が行われると、当該指示された操作を検出し、前記処理実行手段は、前記操作検出手段によって検出された操作により指定された処理を実行することを特徴とする情報処理装置を提供する。
【０００５】
請求項２記載の発明は、請求項１記載の情報処理装置において、前記表示制御手段は、前記処理情報記憶手段に記憶されている複数の処理情報を、前記指定された前記設定内容が多く含まれる順番に並べて前記表示手段に表示させることを特徴とする。
【０００６】
請求項３記載の発明は、請求項２記載の情報処理装置において、前記処理情報記憶手段は、前記処理実行手段によって実行された各処理の設定内容を含む処理情報と、各処理がなされた日時とを対応付けて記憶し、前記表示制御手段は、前記指定された前記設定内容が多く含まれる順番が同じ場合には、各々の処理情報に対応する処理がなされた日時が新しい順番で当該処理情報を並べて表示させることを特徴とする。
【０００７】
請求項４記載の発明は、請求項２記載の情報処理装置において、前記処理情報記憶手段は、前記処理実行手段によって実行された各処理の設定内容を含む処理情報のほか、前記操作検出手段によって検出された操作によって登録された設定内容を含む処理情報をその登録日時と対応付けて記憶し、前記表示制御手段は、前記指定された前記設定内容が多く含まれる順番が同じ場合には、各々の処理情報に対応する前記登録日時が新しい順番に前記処理情報を並べて表示させることを特徴とする。
【０００８】
請求項５記載の発明は、請求項２記載の情報処理装置において、各々の前記設定内容と、当該設定内容に割り当てられた重みの大小を表す重み情報とを対応付けて記憶する重み情報記憶手段を備え、前記表示制御手段は、前記重み情報記憶手段に記憶された重み情報を用いて、前記指定された前記設定内容が多く含まれる順番を特定することを特徴とする。
【０００９】
請求項６記載の発明は、請求項５記載の情報処理装置において、前記表示制御手段は、前記処理情報記憶手段に記憶されている各処理情報に含まれている設定内容のうち、前記指定された前記設定内容に割り当てられた重みの和を求め、求めた重みの和が大きい処理情報の順番を、前記指定された前記設定内容の組み合わせが多く含まれる順番として特定することを特徴とする。
【００１０】
請求項７記載の発明は、請求項５記載の情報処理装置において、前記重み情報記憶手段は、複数の前記設定内容の組み合わせと、当該組み合わせに割り当てられた重みの大小を表す重み情報とを対応付けて記憶し、前記表示制御手段は、前記重み情報記憶手段に記憶された重み情報を用いて、前記指定された前記設定内容の組み合わせが多く含まれる順番を特定することを特徴とする。
【００１１】
請求項８記載の発明は、請求項５記載の情報処理装置において、前記表示制御手段は、前記処理情報を、前記指定された前記設定内容が多く含まれる順番に並べて前記表示手段に表示させるとともに、表示した各々の処理情報において、当該処理情報に含まれる設定内容を、割り当てられた重みが大きい順に並べて前記表示手段に表示させることを特徴とする。
【００１２】
請求項９記載の発明は、請求項１又は２記載の情報処理装置において、前記処理実行手段は、画像情報を用いて処理を実行する処理実行手段であり、前記処理情報記憶手段によって記憶される処理情報には、当該処理に用いられた画像情報が含まれており、前記表示制御手段は、前記画像情報を前記処理情報として前記表示手段に表示させることを特徴とする。
【００１３】
請求項１０記載の発明は、請求項１又は２記載の情報処理装置において、前記表示制御手段は、前記処理実行手段によって実行された処理の複数の設定内容のうち、前記操作によって最後に指定された設定内容を、前記処理情報として前記表示手段に表示させることを特徴とする。
【００１４】
請求項１１記載の発明は、請求項１又は２記載の情報処理装置において、前記操作を行う操作者を識別し、当該操作者に割り当てられた操作者識別情報を特定する操作者特定手段を備え、前記処理情報記憶手段は、前記処理実行手段によって処理が実行された際に前記操作者特定手段によって特定されている前記操作者識別情報を、各々の前記処理情報に対応付けて記憶し、前記表示制御手段は、各々の前記処理情報に対応付けられて前記処理情報記憶手段に記憶されている前記操作者識別情報に固有の画像を、当該処理情報に対応させて前記表示手段に表示させることを特徴とする。
【００１５】
請求項１２記載の発明は、請求項１又は２記載の情報処理装置において、前記処理に関連する関連者を識別し、当該関連者に割り当てられた関連者識別情報を特定する関連者特定手段を備え、前記処理情報記憶手段は、前記処理実行手段によって実行された処理の関連者の関連者識別情報を各々の前記処理情報に対応付けて記憶し、前記表示制御手段は、各々の前記処理情報に対応付けられて前記処理情報記憶手段に記憶されている前記関連者識別情報に固有の画像を、当該処理情報に対応させて前記表示手段に表示させることを特徴とする。
【００１６】
請求項１３記載の発明は、請求項１又は２記載の情報処理装置において、前記処理情報記憶手段は、前記操作検出手段により検出された前記操作によって指定された複数の設定内容のうち、取り消された設定内容を除いた設定内容を含む処理情報を記憶することを特徴とする。
【００１７】
請求項１４記載の発明は、請求項１又は２記載の情報処理装置において、前記操作検出手段は、前記表示手段に表示された複数の処理情報のうちいずれかを指定して当該処理情報に含まれる設定内容を変更する操作が行われると、その操作を検出し、前記表示制御手段は、前記操作に応じて、前記表示手段に表示させている当該設定内容を変更することを特徴とする。
【００１８】
請求項１５記載の発明は、請求項１又は２記載の情報処理装置において、前記表示制御手段は、前記表示手段に表示させた処理情報に含まれる設定内容のうち、前記操作検出手段によって検出された操作によって指定された設定内容を除いた設定内容を表示させることを特徴とする。
【００１９】
請求項１６記載の発明は、請求項１又は２記載の情報処理装置において、前記処理情報記憶手段によって記憶されている処理情報は、当該処理情報に対応する処理が実行されるのに先立って前記操作検出手段により検出された操作によって指定された設定内容と、前記操作に依らず予め指定された標準の設定内容とを含み、前記表示制御手段は、前記処理情報記憶手段に記憶されている処理情報に含まれる設定内容を表示する際には、当該処理情報に対応する処理が実行されるのに先立って前記操作により指定された設定内容とともに、前記標準の設定内容を前記表示手段に表示させることを特徴とする。
【００２０】
請求項１７記載の発明は、請求項１又は２記載の情報処理装置において、前記処理情報記憶手段によって記憶されている処理情報は、当該処理情報に対応する処理が実行されるのに先立って前記操作検出手段により検出された操作によって指定された設定内容と、予め指定された標準の設定内容とを含み、前記表示制御手段は、前記処理情報記憶手段に記憶されている処理情報に含まれる設定内容のうち、当該処理情報に対応する処理が実行されるのに先立って前記操作により指定された設定内容のみを前記表示手段に表示させることを特徴とする。
【００２１】
請求項１８記載の発明は、複数の設定内容からなる処理を実行する処理実行手段を備える第１の装置と、前記処理実行手段によって実行された各処理の設定内容を含む処理情報を記憶する処理情報記憶手段を有する第２の装置と、操作者の操作を検出する操作検出手段と、検出された前記操作によって１または複数の前記設定内容が順次指定されると、前記第２の装置の前記処理情報記憶手段に記憶されている複数の処理情報を、指定された前記設定内容に基づいて所定の順番に並べて表示手段に表示させる表示制御手段とを有する第３の装置とを備え、前記第３の装置の前記操作検出手段は、前記表示手段に表示された複数の処理情報のうち操作者によっていずれかを指示する操作が行われると、当該指示された操作を検出し、検出した操作によって指定された処理の実行を前記第１の装置に指示し、前記第１の装置の前記処理実行手段は、前記第３の装置から指示された処理を実行することを特徴とする情報処理システムを提供する。
【００２２】
請求項１９記載の発明は、コンピュータを、複数の設定内容からなる処理を実行する処理実行手段と、前記処理実行手段によって実行された各処理の設定内容を含む処理情報を記憶する処理情報記憶手段と、操作者の操作を検出する操作検出手段と、検出された前記操作によって１または複数の前記設定内容が順次指定されると、前記処理情報記憶手段に記憶されている複数の処理情報を、指定された前記設定内容に基づいて所定の順番に並べて表示手段に表示させる表示制御手段として機能させ、さらに、前記操作検出手段が、前記表示手段に表示された複数の処理情報のうち操作者によっていずれかを指示する操作が行われると、当該指示された操作を検出し、前記処理実行手段が、前記操作検出手段によって検出された操作により指定された処理を実行するよう機能させるためのプログラムを提供する。
【発明の効果】
【００２３】
請求項１，２記載の発明によれば、本構成を有しない場合と比較して、設定内容の指示を簡略化することができる。
請求項３記載の発明によれば、指定された設定内容が多く含まれる順番が同じ場合には、処理がなされた日時が新しい順番で処理情報を並べて表示させることができる。
請求項４記載の発明によれば、指定された設定内容が多く含まれる順番が同じ場合には、登録された日時が新しい順番に処理情報を並べて表示させることができる。
請求項５，６記載の発明によれば、重みが大きい設定内容を含む処理情報を指定することができる。
請求項７記載の発明によれば、重みが大きい設定内容の組み合わせを含む処理情報を指定することができる。
請求項８記載の発明によれば、本構成を有しない場合と比較して、重みが大きい順に並べられた設定内容に基づいて各々の処理情報を容易に識別することができる。
請求項９記載の発明によれば、本構成を有しない場合と比較して、各々の処理情報を画像に基づいて視覚的に識別することができる。
請求項１０記載の発明によれば、本構成を有しない場合と比較して、各々の処理情報を容易に識別することができる。
請求項１１，１２に記載の発明によれば、本構成を有しない場合と比較して、各々の処理情報を画像に基づいて視覚的に識別することができる。
請求項１３記載の発明によれば、取り消された設定内容を除いて処理情報を表示することができる。
請求項１４記載の発明によれば、指定した処理情報に含まれる設定内容の内容を変更することができる。
請求項１５記載の発明によれば、本構成を有しない場合と比較して、表示される処理情報の違いを視認しやすくなる。
請求項１６記載の発明によれば、処理情報に対応する処理が実行されるのに先立って操作者による操作によって指定された設定内容とともに、標準の設定内容を表示することができる。
請求項１７記載の発明によれば、処理情報に対応する処理が実行されるのに先立って操作者による操作によって指定された設定内容のみを表示することができる。
請求項１８，１９記載の発明によれば、本構成を有しない場合と比較して、簡便な操作で処理を指示することができる。
【発明を実施するための最良の形態】
【００２４】
本実施形態では、操作者の操作によって指定された処理を実行する情報処理装置として、プリンタ装置や複写機などの画像形成装置を用いた例を説明する。
１．第１実施形態
まず、本発明の第１実施形態について説明する。
１−１．構成
図１は、本実施形態に係る画像形成装置１の外観を示す図であり、図２は、画像形成装置１の構成を示すブロック図である。図１及び２に示すように、この画像形成装置１は、制御部１１と、通信部１２と、表示操作部１３と、処理部１４と、記憶部１５とを備えている。制御部１１は、例えばＣＰＵ（Central Processing Unit）、ＲＯＭ（Read Only Memory）及びＲＡＭ（Random Access Memory）を備えており、画像形成装置１の各部を制御する。ＲＯＭには、ＣＰＵが実行する基本的な制御プログラムが記憶されている。通信部１２は、ネットワークを介して接続された外部装置とデータの送受信を行う。表示操作部１３は、例えばタッチパネル式のディスプレイや各種の操作ボタン等を備えており、制御部１１から供給される画像データに基づいて各種画像を表示すると共に、各種処理を指示するための操作を受け付ける。
【００２５】
処理部１４は、画像情報を用いて、複数の設定内容からなる各種処理を実行する。これにより、スキャナ機能やコピー機能などを含む複数の機能が実現される。スキャナ機能は、プラテンガラス又は自動用紙送り装置にセットされた用紙の画像を読み取り、読み取った画像を表す画像データを生成する機能である。コピー機能は、スキャナ機能によって生成された画像データに基づいて、用紙に画像を形成する機能である。
【００２６】
記憶部１５は、例えばＨＤＤ（Hard Disk Drive）等の大容量の記憶装置である。この記憶部１５には、処理部１４によって実行された各々の処理の設定内容を含む処理情報１５ａが、各々の処理がなされた日付と対応付けて記憶されている。また、各処理情報１５ａには、各々の処理情報１５ａを識別するための識別情報が割り当てられている。
【００２７】
ここで、図３は、処理情報１５ａの一例を示す図である。
識別情報として例えば「ｊｏｂ１」が割り当てられた処理情報１５ａには、「コピー」，「出力形式」，「ＤＡＤＦ」，「両→両」，「１００％」，「用紙自動」及び「２ｕｐ」という設定内容が含まれている。この処理情報１５ａに対応する処理は、「０６／０８／１１」に行われている。記憶部１５には、処理部１４によって処理が実行される度に、実行された処理に応じた処理情報１５ａが追加されるようになっている。処理はこのような複数の設定内容からなり、処理の内容はこれらの設定内容によって決定付けられるといってよい。設定内容は階層構造をなしており、例えば「コピー」、「スキャナ」、「Ｅｍａｉｌ」といった設定内容は上位層の設定内容である。そして、例えば「コピー」という設定内容の中位層の設定内容としては、「基本コピー」とか「出力形式」、「読み取り方法」などといったものがある。さらに、「出力形式」という設定内容の下位層の設定内容には、例えば「両面／片面選択」、「仕分け」、「まとめて１枚（Ｎｕｐ）」、「小冊子作成」といったものがある。なお、「ＤＡＤＦ」とは「Duplex Auto Document Feeder」（自動原稿送り装置）の略語であり、ここでは、用紙の供給元が自動用紙送り装置として設定されているという設定内容を意味している。
【００２８】
さらに、記憶部１５には、操作者による操作によって登録された設定内容を含む処理情報１５ａが、その登録日と対応付けられて記憶されている。図中の「ｒｅｇＮ」（Ｎは整数）という識別情報が割り当てられた処理情報１５ａは、過去に実行された処理の処理情報ではなく、操作者による操作によって登録された処理情報である。例えば、識別情報として「ｒｅｇ１」が割り当てられた処理情報１５ａには、操作者による操作によって登録された「コピー」，「出力形式」，「ＤＡＤＦ」，「カラー」，「両→両」，「７０％」，「用紙自動」及び「原稿の種類（写真）」という設定内容が含まれており、その登録日は「０６／０８／１３」である。操作者は、このような設定内容からなる処理を行う可能性が高いと考えて、その設定内容を処理情報１５ａとして予め登録しておくことができるのである。記憶部１５には、処理情報が登録される度に、登録された処理情報１５ａが追加されるようになっている。
【００２９】
１−２．動作
次に、図４に示すフロー図を参照して、本実施形態の動作の説明を行う。
画像形成装置１を利用する操作者によって処理を指示する操作が行われていない間、制御部１１は、図５に示すメニュー画面Ｐ１を表示操作部１３に表示させて（ステップＳ１００）、操作が行われるまで待機する（ステップＳ１１０：ＮＯ）。このメニュー画面Ｐ１には、「コピー」，「スキャナ」，「ＦＡＸ」といった各種機能を選択するための画像と、処理情報リストＲ１とが配置されている。この処理情報リストＲ１は、記憶部１５に記憶されている複数の処理情報１５ａを、対応付けられた日付が新しい順番に並べたものである。例えば、処理情報リストＲ１の最初には、図３に示した処理情報１５ａにおいて日付が最も新しい「ｊｏｂ６」という識別情報の処理情報１５ａが配置される。続いて、処理情報リストＲ１の２番目には、図３に示した処理情報１５ａにおいて２番目に日付が新しい「ｊｏｂ５」という識別情報の処理情報１５ａが配置され、３番目には「ｊｏｂ４」という識別情報の処理情報１５ａが配置される。図の例では、各処理情報１５ａが、各々の処理情報１５ａに対応する処理を指定するためのボタンＢ１，Ｂ２，Ｂ３として表示されており、各ボタンＢ１，Ｂ２，Ｂ３を識別するためのラベルとして、記憶部１５に記憶されている各々の処理情報１５ａの識別情報、日付及び設定内容が表示されている。また、この処理情報リストＲ１には、表示領域のサイズとの兼ね合いで配置し切れなかった処理情報１５ａを表示させるためのアローボタン（図中の「▼」）が設けられている。表示操作部１３が操作されて、このアローボタンが押されると、処理情報リストＲ１に４番目以降の処理情報１５ａが表示されるようになる。
【００３０】
このメニュー画面Ｐ１において、表示操作部１３が操作されて、例えば処理情報リストＲ１から「ｊｏｂ４：０６／０８／１７：スキャナ−ボックス＃１２３−両→両−自動％」というボタンＢ３が押されると、制御部１１は、この操作を検出し（図４におけるステップＳ１１０：ＹＥＳ）、さらにその操作によって処理情報１５ａの指定がなされたか否かを判断する（ステップＳ１２０）。この例では、ステップＳ１１０において、「ｊｏｂ４」という識別情報の処理情報１５ａを指定する操作が検出されたため、制御部１１は、処理情報１５ａが指定されたと判断することになる（ステップＳ１２０：ＹＥＳ）。続いて、制御部１１は、指定された処理情報１５ａに対応する処理の設定内容を表示操作部１３に表示させる（ステップＳ１４０）。この例では、記憶部１５に記憶されている「ｊｏｂ４」という処理情報１５ａの設定内容（「スキャナ」，「ボックス＃１２３」，「両→両」及び「自動％」）と、それ以外の設定内容について予め標準として指定されている設定内容とが表示される。標準として指定されている設定内容とは、指定される頻度が高いものとして予め装置設計者や操作者によって指定されているものであり、例えばカラーモードを表す「白黒」という設定内容や、原稿の画質を表す「文字」という設定内容などといったものがある。
【００３１】
続いて表示操作部１３からのスタートボタンが押されると、制御部１１は、処理の実行を指示する操作がなされたと判断して、指示された処理を実行する（図４におけるステップＳ１５０）。この例では、「ｊｏｂ４」という処理情報１５ａに対応する処理、すなわち用紙の両面の画像を自動の倍率で読み取って、生成した画像データを＃１２３のボックス（記憶領域）に格納する処理が行われる。そして、制御部１１は、ステップＳ１１０において検出した操作によって指定された設定内容からなる処理情報１５ａに新たな識別情報を割り当てて、処理を実行した日付と対応付けて記憶部１５に記憶させる（ステップＳ１６０）。すなわち、「スキャナ」，「ボックス＃１２３」，「両→両」及び「自動％」という設定内容からなる新たな処理情報１５ａが記憶部１５に追加される。
【００３２】
一方、図５に示したメニュー画面Ｐ１において、例えばコピー機能を選択するための「コピー」ボタンが押された後、さらにそのコピーの「出力形式」を設定するため操作がなされた場合を想定する。その場合、図４に示したステップＳ１１０では、最上位層の設定内容である「コピー」ボタンを押下する操作と、その「コピー」の中位層の設定内容である「出力形式」を選択する操作が検出される。これらの操作は処理情報１５ａを指定するための操作ではないため、ステップＳ１２０では、処理情報１５ａが指定されていないと判断されることになる（ステップＳ１２０：ＮＯ）。
【００３３】
続いて、制御部１１は、図６に示す設定画面Ｐ２を表示操作部１３に表示させる（ステップＳ１３０）。この設定画面Ｐ２には、「両面／片面選択」や「仕分け」，「まとめて１枚（Ｎｕｐ）」，「小冊子作成」というように、「コピー」の「出力形式」という設定内容における更に下層の設定内容を指定するための画像と、処理情報リストＲ２とが配置されている。同図に示された「両面／片面選択」は、画像の読み取り及び形成を用紙の両面又は片面に行う処理についての設定内容であり、「仕分け」は、用紙を仕分けて排出するための設定内容である。「まとめて１枚（Ｎｕｐ）」は、１枚の用紙に複数の画像を形成する処理についての設定内容であり、「小冊子作成」は、用紙を２つ折りにすることで小冊子ができる順序で画像を形成するための設定内容である。
【００３４】
次に、この処理情報リストＲ２に配置される処理情報１５ａの順番を求める方法について、詳細に説明する。
この処理情報リストＲ２は、記憶部１５に記憶されている処理情報１５ａを、ステップＳ１１０にて指定された操作内容が多く含まれる順番に並べたものである。さらに、順番が同じ処理情報１５ａが存在する場合には、処理情報１５ａに対応する処理日付が新しい順番で処理情報１５ａが並べられる。例えば図３に示した複数の処理情報１５ａを、ステップＳ１１０において指定された設定内容が多く含まれる順番に並べる場合、まずは「コピー」という設定内容と、「出力形式」という設定内容の双方を含む処理情報１５ａが第１位の順番となる。ここでは、「ｊｏｂ１」，「ｊｏｂ２」，「ｒｅｇ１」，「ｒｅｇ２」及び「ｊｏｂ３」という処理情報１５ａがそれに該当する。次に、「コピー」という設定内容のみを含んでいる「ｊｏｂ６」という処理情報１５ａがその次の順番となる。そして、「コピー」という設定内容と、「出力形式」という設定内容のいずれも含まない「ｊｏｂ４」及び「ｊｏｂ５」という処理情報１５ａが最後の順番となる。
【００３５】
続いて、第１位として順番が同じ「ｊｏｂ１」，「ｊｏｂ２」，「ｒｅｇ１」，「ｒｅｇ２」及び「ｊｏｂ３」という処理情報１５ａを、記憶部１５に対応付けて記憶されている日付が新しい順番に並べる。これにより、図６に示した処理情報リストＲ２の最初には、日付が最も新しい「ｊｏｂ３」という処理情報１５ａが配置される。また、処理情報リストＲ２の２番目には、２番目に日付が新しい「ｒｅｇ２」という処理情報１５ａ、３番目には「ｒｅｇ１」という処理情報１５ａ、４番目には「ｊｏｂ２」という処理情報１５ａが配置される。図の例では、各処理情報１５ａが、各々の処理情報１５ａに対応する処理を指定するためのボタンＢ４，Ｂ５，Ｂ６，Ｂ７として表示されている。また、５番目以降の処理情報１５ａについては、処理情報リストＲ２に設けられたアローボタン（図中の「▼」）が押されることによって表示される。一方、「コピー」という設定内容と、「出力形式」という設定内容のうち少なくとも一方の設定内容が含まれていない「ｊｏｂ４」，「ｊｏｂ５」及び「ｊｏｂ６」という処理情報１５ａは表示されない。つまり、ここでは、「コピー」という設定内容と、「出力形式」という設定内容を両方含む処理情報１５ａのみが処理情報リストＲ２上に配置されることになる。
【００３６】
この設定画面Ｐ２において、例えば操作者によって、自動用紙送り装置に用紙がセットされたとすると、図４におけるステップ１１０では、自動用紙送り装置に設けられたセンサによって、用紙がセットされたという操作が検出される（ステップＳ１１０：ＹＥＳ）。この操作は、処理情報１５ａを指定するための操作ではないため、ステップＳ１２０では、処理情報１５ａが指定されていないと判断されることになる（ステップＳ１２０：ＮＯ）。
【００３７】
続いて、ステップＳ１３０では、図７に示す設定画面Ｐ２１が表示操作部１３に表示される。この設定画面Ｐ２１には、「コピー」の「出力形式」という設定内容の更に下層の設定内容を指定するための画像が配置されているが、これは上述した設定画面Ｐ２と同様である。設定画面Ｐ２１には、設定画面Ｐ２における処理情報リストＲ２に換えて、処理情報リストＲ３が配置されている。この処理情報リストＲ３に配置される処理情報１５ａの順番は、上述した処理情報リストＲ２における順番と同様の方法で求められる。すなわち、まず、図３に示した処理情報１５ａを、ステップＳ１１０において指定された「コピー」という設定内容と、「出力形式」という設定内容と、「ＤＡＤＦ」という設定内容とが多く含まれる順番に並べる。そして、順番が同じである処理情報１５ａについては、記憶部１５に対応付けて記憶されている日付が新しい順番に並べる。これにより、処理情報リストＲ３の最初には、「ｒｅｇ２」という処理情報１５ａが配置され、２番目には「ｒｅｇ１」という処理情報１５ａが配置され、３番目には「ｊｏｂ２」という処理情報１５ａが配置され、４番目には「ｊｏｂ１」という処理情報１５ａが配置される。図の例では、各処理情報１５ａが、各々の処理情報１５ａに対応する処理を指定するためのボタンＢ５，Ｂ６，Ｂ７，Ｂ８として表示されている。一方、上述した処理情報リストＲ２において第１位に配置されていた「ｊｏｂ３」という処理情報１５ａは、「ＤＡＤＦ」という設定内容を含んでいないため、表示順位が下がってしまって、ここでは表示されない。つまり、処理情報リストＲ４には、「コピー」、「出力形式」及び「ＤＡＤＦ」という設定内容を全て含む処理情報１５ａのみが配置されるようになっている。
【００３８】
この設定画面Ｐ２１において、表示操作部１３が操作されて、例えば「まとめて１枚（Ｎｕｐ）」のボタンが押されて、１枚の用紙に２つの画像を形成する「２ｕｐ」という設定内容が指定されたとする。この場合、図４におけるステップ１１０では、「２ｕｐ」という設定内容を指定する操作が検出されることになる（ステップＳ１１０：ＹＥＳ）。この操作は、処理情報１５ａを指定するための操作ではないため、ステップＳ１２０では、処理情報１５ａが指定されていないと判断されることになる（ステップＳ１２０：ＮＯ）。
【００３９】
続いてステップＳ１３０では、図８に示す設定画面Ｐ２２が表示操作部１３に表示される。この設定画面Ｐ２２には、「コピー」の「出力形式」という設定内容の更に下位層の設定内容を指定するための画像が配置されているが、これは上述した設定画面Ｐ２１と同様である。設定画面Ｐ２２には、設定画面Ｐ２１における処理情報リストＲ３に換えて、処理情報リストＲ４が配置されている。この処理情報リストＲ４に配置される処理情報１５ａの順番は、上述した処理情報リストＲ２における順番と同様の方法で求められる。すなわち、まず、図３に示した処理情報１５ａを、「コピー」、「出力形式」、「ＤＡＤＦ」及び「２ｕｐ」という設定内容が多く含まれる順番に並べ、順番が同じである処理情報１５ａについては、記憶部１５に対応付けて記憶されている日付が新しい順番に並べる。これにより、処理情報リストＲ４の最初には、「ｒｅｇ２」という処理情報１５ａが配置され、２番目には「ｊｏｂ２」という処理情報１５ａが配置され、３番目には「ｊｏｂ１」という処理情報１５ａが配置される。図の例では、各処理情報１５ａが、各々の処理情報１５ａに対応する処理を指定するためのボタンＢ５，Ｂ７，Ｂ８として表示されている。なお、上述した処理情報リストＲ３の２番目に配置されていた「ｒｅｇ１」という識別情報の処理情報１５ａは、「２ｕｐ」という設定内容を含んでいないため表示されない。つまり、処理情報リストＲ４には、「コピー」、「出力形式」、「ＤＡＤＦ」及び「２ｕｐ」という設定内容を全て含む処理情報１５ａのみが配置されるようになっている。
【００４０】
この設定画面Ｐ２２において、表示操作部１３が操作されて、例えば処理情報リストＲ４から「ｒｅｇ２：０６／０８／１３：コピー−出力形式−ＤＡＤＦ−２ｕｐ−１００％−両→両−仕分け」というボタンＢ５が指定されると、図４におけるステップ１１０では、「ｒｅｇ２」という識別情報の処理情報１５ａを指定する操作が検出される（ステップＳ１１０：ＹＥＳ）。この操作は、処理情報１５ａを指定するための操作であるため、ステップＳ１２０では、処理情報１５ａが指定されたと判断されることになる（ステップＳ１２０：ＹＥＳ）。続いて、ステップＳ１４０では、指定された処理情報１５ａに対応する処理の設定内容が表示され、ステップＳ１５０では、指示された処理が実行される。この例では、「ｒｅｇ２」という識別情報の処理情報１５ａに対応する処理、すなわち自動用紙送り装置にセットされた用紙の両面の画像を１００％の倍率で読み取って、生成した２つの画像データが表す画像を１枚の用紙に形成し、仕分けして排出する処理が行われる。そして、ステップＳ１６０では、ステップＳ１１０において検出された操作によって指定された設定内容からなる処理情報１５ａに新たな識別情報が割り当てられ、処理を実行した日付と対応付けて記憶部１５に記憶される。すなわち、記憶部１５には、「コピー」，「出力形式」，「ＤＡＤＦ」，「２ｕｐ」，「１００％」，「両→両」及び「仕分け」という設定内容からなる新たな処理情報１５ａが追加される。
【００４１】
２．第２実施形態
次に、本発明の第２実施形態について説明する。
２−１．構成
図９は、第２実施形態に係る画像形成装置１の構成を示すブロック図である。同図に示すように、この画像形成装置１は、記憶部１５の記憶内容を除いて図２に示した第１実施形態に係る画像形成装置１と同様の構成である。記憶部１５には、上述した処理情報１５ａの他に、重みテーブル１５ｂが記憶されている。
【００４２】
ここで、図１０は、重みテーブル１５ｂの一例を示す図である。同図に示すように、重みテーブル１５ｂには、画像形成装置１において予め設けられている設定内容と、その設定内容に割り当てられた重みの大小を表す重み情報とがそれぞれ対応付けられている。例えば、「サービス」という設定内容には、重み情報として「５００」が割り当てられており、「タブ操作」という設定内容には、重み情報として「８０」が割り当てられている。「サービス」という設定内容は、図５に示したメニュー画面Ｐ１において、いずれかの機能を選択するためのボタン（例えば、「コピー」ボタン，「スキャナ」ボタン，「ＦＡＸ」ボタンなど）が押されて、指定された設定内容を表す。つまり、階層構造を採る設定内容において、最上位層の設定内容に相当するものと言える。また、「タブ操作」という設定内容は、図６に示した設定画面Ｐ２において、設定内容を分類するためのいずれかのタブ（例えば、「基本コピー」タブ，「画質調整」タブ，「読み取り方法」タブ，「出力形式」タブ，「ジョブ編集」タブなど）が指定されたという設定内容を表す。つまり、階層構造を採る設定内容において、中位層の設定内容に相当するものと言える。
【００４３】
この重み情報は、画像形成装置１を製造する製造者などによって、予め設定されている。この例では、より上位層の設定内容（例えば、「サービス」や「タブ操作」）や、どのような処理においても指定されることが多い設定内容（例えば、「ＤＡＤＦ」など）については、その重み情報が大きくなるように設定されている。また、パラメータの変更を行うことができる設定内容（例えば、「倍率」）については、その重み情報が小さくなるように設定されている。
【００４４】
２−２．動作
次に、第２実施形態の動作の説明を行う。本実施形態の動作が第１実施形態の動作と異なるのは、処理情報１５ａの順番を求める方法である。従って、以下では、処理情報１５ａの順序を求める方法についてのみ説明を行い、その他の動作の説明を省略する。
図４に示したステップＳ１１０において、「コピー」，「出力形式」，「ＤＡＤＦ」，「２ｕｐ」，「仕分け」及び「小冊子」という設定内容を指定するための操作がなされた例を挙げて説明する。これらの操作は、処理情報１５ａを指定するための操作ではないため、ステップＳ１２０では、処理情報１５ａの指定がなされていないと判断されることになる（ステップＳ１２０：ＮＯ）。続いて、ステップＳ１３０では、図１１に示す設定画面Ｐ２３が表示操作部１３に表示される。この設定画面Ｐ２３は、コピーの出力形式に関する各種の設定内容を指定するための画像については上述した設定画面Ｐ２２と同様であるが、処理情報リストＲ４に換えて処理情報リストＲ５が配置されている。
【００４５】
この処理情報リストＲ５は、記憶部１５に記憶されている処理情報１５ａを、重みテーブル１５ｂを用いて指定された設定内容が多く含まれる順番に並べたものである。具体的に説明すると、まず、図３に示した処理情報１５ａから、「コピー」，「出力形式」，「ＤＡＤＦ」，「２ｕｐ」，「仕分け」及び「小冊子」という設定内容が少なくとも１つ以上含まれる処理情報１５ａを抽出する。この例では、「ｊｏｂ１」，「ｊｏｂ２」，「ｒｅｇ１」，「ｒｅｇ２」，「ｊｏｂ３」及び「ｊｏｂ６」という各処理情報１５ａが抽出される。「ｊｏｂ４」及び「ｊｏｂ５」という処理情報１５ａについては、上述したいずれの設定内容も含んでいないため、抽出されない。
【００４６】
続いて、重みテーブル１５ｂを参照して、各々の処理情報１５ａに含まれる各設定内容に対応付けられた重み情報の和を算出する。例えば、「ｊｏｂ１」という処理情報１５ａには、「コピー」，「出力形式」，「ＤＡＤＦ」及び「２ｕｐ」という設定内容が含まれているため、図１０に示した重みテーブル１５ｂを参照すると、これら各設定内容に対応付けられた重み情報の和は、５００＋８０＋８０＋４０＝７００となる。そして、この重み情報の和（７００）を、「ｊｏｂ１」という処理情報１５ａの重み情報値とする。同様にして「ｊｏｂ２」，「ｒｅｇ１」，「ｒｅｇ２」，「ｊｏｂ３」及び「ｊｏｂ６」という各処理情報１５ａについても重み情報値を算出すると、「ｊｏｂ２」という処理情報１５ａの重み情報値が「７５０」となり、「ｒｅｇ１」という処理情報１５ａの重み情報値が「６６０」となり、「ｒｅｇ２」という処理情報１５ａの重み情報値が「７１０」となり、「ｊｏｂ３」という処理情報１５ａの重み情報値が「５９０」となり、「ｊｏｂ６」という処理情報１５ａの重み情報値が「５８０」となる。
【００４７】
そして、算出した重み情報値が大きい順番を、指定された設定内容が多く含まれる順番として特定する。これにより、図１１に示した処理情報リストＲ５の最初には、「ｊｏｂ２」という処理情報１５ａが配置される。そして、処理情報リストＲ５の２番目には「ｒｅｇ２」という処理情報１５ａが配置され、３番目には「ｊｏｂ１」という処理情報１５ａが配置され、４番目には「ｒｅｇ１」という処理情報１５ａが配置される。図の例では、各処理情報１５ａが、各々の処理情報１５ａに対応する処理を指定するためのボタンＢ７，Ｂ５，Ｂ８，Ｂ６として表示されている。なお、「ｊｏｂ３」及び「ｊｏｂ６」の処理情報１５ａについては、重み情報値が小さいため、処理情報リストＲ５に設けられたアローボタン（図中の「▼」）が押されることによって表示されるようになる。
【００４８】
３．変形例
以上が実施形態の説明であるが、この実施形態の内容は以下のように変形し得る。また、以下の各態様を適宜組み合わせてもよい。
（１）処理情報１５ａは、実行された処理の設定内容を含んでさえいればよく、設定内容以外にも様々な情報を含んでも良い。
例えば記憶部１５には、処理部１４によって実行された各々の処理の設定内容と、その処理に用いられた画像情報とを含む処理情報１５ａが記憶されていてもよい。この画像情報は、処理部１４が用紙の画像を読み取って生成した画像データを縮小したものや、図示せぬホスト装置から送信されてきた画像データを縮小したものなどである。制御部１１は、画像情報を含む処理情報１５ａを表示操作部１３に表示させる。図１２は、画像情報を含む処理情報１５ａが配置された設定画面Ｐ３を示す図である。同図に示すように、この設定画面Ｐ３に配置された処理情報リストＲ６には、処理情報１５ａに対応する処理を指定するためのボタンＢ９，Ｂ１０，Ｂ１１，Ｂ１２とその処理において用いられた画像Ｆ１，Ｆ２，Ｆ３，Ｆ４とが、それぞれ対応づけて配置されている。
【００４９】
（２）また、記憶部１５は、処理部１４によって実行された処理の設定内容は、操作者によって順次指定されたものであるが、これらの設定内容のうち、操作者によって最後に指定された設定内容を判別し得るような形式で記憶してもよい。この判別し得る形式としては、例えば、操作者によって最後に指定された設定内容に対応付けてフラグを記憶するなどというものが考えられる。例えば、「コピー」→「出力形式」→「両→両」という順序で指定された場合には、「両→両」という設定内容が最後に指定されたものであるから、この設定内容に対応付けてフラグが記憶される。そして、制御部１１は、最後に指定された設定内容を、処理情報１５ａとして表示操作部１３に表示させる。図１３は、最後に指定された設定内容を含む処理情報１５ａが配置された設定画面Ｐ４を示す図である。同図に示すように、この設定画面Ｐ４に配置された処理情報リストＲ７に配置された、各処理情報１５ａに対応する処理を指定するためのボタンＢ９’，Ｂ１０’，Ｂ１１’，Ｂ１２’のラベルには、最後に指定された設定内容が「最終操作」として設けられている。
【００５０】
（３）画像形成装置１は、表示操作部１３の操作を行う操作者を識別し、その操作者に割り当てられた操作者識別情報を特定して、特定した操作識別情報に応じて処理情報１５ａを表示させてもよい。例えば、画像形成装置１を操作する操作者に割り当てられた操作者識別情報（例えばユーザＩＤ）を記憶部１５に予め記憶させておき、表示操作部１３の操作を行う操作者によって操作者識別情報が入力されると、制御部１１は、入力された操作者識別情報に基づいて、操作者を識別し、その操作者に割り当てられた操作者識別情報を特定する。記憶部１５は、処理部１４によって処理が実行された際に、特定された操作者識別情報を、各々の処理情報１５ａに対応付けて記憶する。制御部１１は、この操作者識別情報に固有の画像（例えば操作者識別情報によって特定される操作者の顔を表す画像）を、各処理情報１５ａに対応させて表示操作部１３に表示させる。この固有の画像を表す画像データは、操作者識別情報と対応付けて、予め記憶部１５に記憶されているとよい。図１４は、操作者識別情報に固有の画像と処理情報１５ａとが対応付けられて配置された設定画面Ｐ６を示す図である。同図に示すように、この設定画面Ｐ５に配置された処理情報リストＲ８には、各処理情報１５ａに対応する処理を指定するためのボタンＢ９，Ｂ１０，Ｂ１１，Ｂ１２と、その処理を指示した操作者に固有の画像Ｆ５，Ｆ６，Ｆ７とが、それぞれ対応づけて配置されている。例えば、「ｊｏｂ１５」という処理情報１５ａに対応する処理を指定するためのボタンＢ９には、その処理を指示した「ｓｃｏｔｔ」という操作者に固有の画像Ｆ５が対応付けられている。また、同図に示すように、各操作者に割り当てられた操作者識別情報を、対応する各画像Ｆ５，Ｆ６，Ｆ７に対応付けて表示させてもよい。
【００５１】
また、制御部１１は、各操作者自身が行った操作によって指示された処理の設定内容を含む処理情報１５ａのみを提示するために、上述のようにして特定した操作者識別情報に対応付けられて記憶されている処理情報１５ａのみを表示操作部１３に表示させてもよい。例えば、「ｕｓｅｒＡ」という操作者識別情報が割り当てられた操作者が、この操作者識別情報を入力してログインを行い、画像形成装置１に処理を実行させると、その処理の設定内容を含む処理情報１５ａが、「ｕｓｅｒＡ」という操作者識別情報と対応付けて記憶部１５に記憶される。そして、この「ｕｓｅｒＡ」という操作者が再びログインを行って、画像形成装置１を利用する際には、「ｕｓｅｒＡ」という操作者識別情報と対応付けて記憶されている処理情報１５ａ、すなわち自身が実行させた処理の処理情報１５ａのみが、処理情報リストとして表示操作部１３に表示される。
【００５２】
さらに、制御部１１は、画像形成操作の利用に長けている模範操作者が行った操作によって指示された処理の設定内容を含む処理情報１５ａを、便利な処理情報１５ａとして他の一般操作者に提示してもよい。例えば、ある模範操作者には、「ｅｘｐｅｒｔＡ」という操作者識別情報が割り当てられ、ある一般操作者には、「ｕｓｅｒＢ」という操作者識別情報が割り当てられるとする。「ｅｘｐｅｒｔＡ」という模範操作者が、自身に割り当てられた操作者識別情報を入力してログインを行い、画像形成装置１に処理を実行させると、その処理の設定内容を含む処理情報１５ａが、「ｅｘｐｅｒｔＡ」という操作者識別情報と対応付けて記憶部１５に記憶される。そして、「ｕｓｅｒＢ」という一般操作者が、画像形成装置１を利用するために、自身に割り当てられた操作者識別情報を入力してログインを行うと、「ｅｘｐｅｒｔＡ」という操作者識別情報と対応付けて記憶されている処理情報１５ａ、すなわち「ｅｘｐｅｒｔＡ」という模範操作者によって実行された処理の処理情報１５ａが、処理情報リストとして表示操作部１３に表示される。
【００５３】
（４）上記実施形態において、画像形成装置１は、処理に関連する関連者を識別し、識別した関連者に割り当てられた関連者識別情報を特定して、特定した関連者識別情報に固有の画像を、処理情報１５ａに対応付けて表示操作部１３に表示させてもよい。この関連者としては、例えば電子メールを用いて画像データを送信する処理においては、その送信先のアドレスが割り当てられた利用者である。そして、関連者識別情報に固有の画像とは、例えば関連者識別情報によって特定される操作者の顔を表す画像である。記憶部１５は、処理部１４によって処理が実行された際に、その処理の関連者の関連者識別情報（例えば、ユーザ名）を、各々の処理情報１５ａに対応付けて記憶する。制御部１１は、各々の処理情報１５ａに対応付けられて記憶されている関連者識別情報に固有の画像を、各処理情報１５ａに対応させて表示操作部１３に表示させる。さらに、関連者識別情報を対応付けて配置する。この固有の画像を表す画像データは、関連者識別情報と対応付けて、予め記憶部１５に記憶されているとよい。例えば、電子メールを用いて、「ｓｃｏｔｔ」という関連者に割り当てられたアドレス宛に画像データを送信するための設定内容を含む処理情報１５ａにおいては、その処理情報１５ａに対応する処理を指定するためのボタンと、「ｓｃｏｔｔ」という関連者に固有の画像とが対応付けられて配置される。また、処理情報１５ａに対応する処理を指定するためのボタンに、さらに関連者識別情報を対応付けても配置してもよい。
【００５４】
（５）上記実施形態のステップＳ１６０において、制御部１１は、指定された処理情報１５ａに新たな識別情報を割り当てて、処理を実行した日付と対応付けて記憶部１５に記憶していた。しかしながら、操作者が表示操作部１３を操作して、「コピー」、「ＤＡＤＦ」、「白黒」、いう設定内容を間違って指定してしまい、その後にそれらの設定内容の指定を取り消すための「キャンセル」ボタンを押してから、「スキャン」、「カラー」という設定内容を指定したとする。この場合、これら全ての設定内容を記憶してしまうと、不要な設定内容をも含んだ処理情報１５ａが記憶部１５に記憶されてしまうことになる。さらに、この処理情報１５ａには、同時に実行することができない「コピー」と「スキャン」という設定内容が含まれているため、対応する処理は正常に実行されない。このような事態を防ぐために、制御部１１は、設定内容の指定を取り消す操作がなされた場合には、その操作によって取り消された設定内容を除いた設定内容を記憶部１５に記憶させる。なお、「ＤＡＤＦ」という設定内容のように、誤って指定された「コピー」の設定内容と、「スキャン」の設定内容のいずれの設定内容と同時に指定されても、正常に処理が行われる設定内容については、記憶部１５に記憶されてもよい。
【００５５】
（６）上記実施形態のステップＳ１４０において、制御部１１は、処理の設定内容を表示した後、その設定内容を変更する操作が行われると、その操作を検出し、表示操作部１３に表示させている設定内容を変更された内容に変えて表示してもよい。例えば、図８に示した設定画面Ｐ２２において、操作者によって表示操作部１３が操作されて、「ｊｏｂ１：０６／０８／１１：コピー−出力形式−ＤＡＤＦ−両→両−１００％−用紙自動―２ｕｐ」というボタンＢ８が押された場合を想定する。操作者は、この処理情報１５ａのうち、「２ｕｐ」という設定内容を「４ｕｐ」に変更したいときには、この設定画面Ｐ２２の左方に配置されている、「まとめて一枚（Ｎｕｐ）」という設定内容を指定するためのボタンを押して、「２ｕｐ」という設定内容を「４ｕｐ」という設定内容に変更する操作を行うことになる。すると、制御部１１は、この操作を検出して、「２ｕｐ」という設定内容を「４ｕｐ」という設定内容に変更した処理情報１５ａを表示操作部１３に表示させて、その処理情報１５ａに対応する処理を指示する操作の入力を促す。
【００５６】
（７）上記実施形態において、制御部１１は、記憶部１５に記憶されている各処理情報１５ａに含まれる設定内容を全て表示操作部１３に表示させていた。これに対し、制御部１１は、表示操作部１３による操作によって指定された設定内容を除いた設定内容を表示させてもよい。例えば、上述したように、ステップＳ１１０において、「コピー」及び「出力形式」という設定内容を指定するための操作が検出された場合、制御部１１は、これらの設定内容を除いた設定内容を表示操作部１３に表示させる。図６に示した設定画面Ｐ２を参照して説明すると、制御部１１は、各処理情報１５ａに含まれる設定内容のうち、「コピー」と「出力形式」という設定内容を除いたものを表示させる。すなわち、「ｊｏｂ３」という処理情報１５ａについては、「ｊｏｂ３：０６／０８／１５：プラテン―白黒−１００％−用紙自動−仕分け」というボタンラベルが表示される。
【００５７】
（８）上記実施形態のステップＳ１６０において、制御部１１は、ステップＳ１１０において検出した操作によって指定された処理情報１５ａに新たな識別情報を割り当てて、処理を実行した日付と対応付けて記憶部１５に記憶させていた。すなわち、記憶部１５には、処理が実行されるのに先立って操作者が表示操作部１３を操作することで指定した設定内容のみが記憶されていた。
これに対して、制御部１１は、実行された処理に含まれる全ての設定内容を記憶部１５に記憶させてもよい。この設定内容には、操作者による操作によって指定された設定内容と、それ以外の設定内容について操作者の操作に依らずに予め標準として指定されている設定内容とが含まれる。例えば、操作者による操作によって、「スキャナ」，「ボックス＃１２３」，「両→両」及び「自動％」という設定内容が指定された場合、制御部１１は、これら指定された設定内容と、それ以外の設定内容について予め標準として指定されている設定内容、例えば「白黒」，「文字」，・・・という設定内容とを記憶部１５に記憶させることになる。
制御部１１は、この処理情報１５ａを表示操作部１３に表示させる場合には、記憶部１５に記憶されているこれら全ての設定内容、すなわち「ｊｏｂ４：０６／０８／１７：スキャナ−ボックス＃１２３−両→両−自動％−白黒−文字−・・・」という処理情報１５ａを表示させるようにしてもよい。
また、制御部１１は、処理情報１５ａに含まれる設定内容のうち、その処理情報１５ａに対応する処理が実行されるのに先立って操作者が指定した設定内容のみを表示させるようにしてもよい。例えば記憶部１５に記憶されている設定内容が、「スキャナ」，「ボックス＃１２３」，「両→両」，「自動％」，「白黒」，「文字」である場合、上述したように操作者が指定された設定内容は「スキャナ」，「ボックス＃１２３」，「両→両」，「自動％」であり、標準の設定内容（つまり操作者によって指定されていない設定内容）は「白黒」，「文字」である。ここで、別の操作者が「スキャナ」，「ボックス＃１２３」という設定内容を指定したとすると、制御部１１は、その設定内容を含む処理情報１５ａを表示するわけだが、そのときには「ｊｏｂ４：０６／０８／１７：スキャナ−ボックス＃１２３−両→両−自動％」といった具合で処理情報１５ａを表示する。この表示内容には、操作者が指定した設定内容は含まれているが、標準の設定内容は含まれていない。
【００５８】
（９）上記実施形態において、制御部１１は、各々の処理情報１５ａに対応する処理を指定するためのボタンを表示させ、各ボタンを識別するためのラベルとして、各々の処理情報１５ａの識別情報、日付及び設定内容を表示させていた。このとき、複数の設定内容を或る所定の順番で並べて表示していたが、これを、各々の設定内容が指定された順番に並べて表示させてもよい。
また、上記第２実施形態において、制御部１１は、ボタンラベルとして表示される各設定内容を、対応付けられた重み情報が大きい順番に並べて表示させてもよい。図１５は、図１１に示した設定画面P２３において、ボタンラベルとして表示された各設定内容を、対応付けられた重み情報が大きい順番に並べて表示させた設定画面Ｐ２４を示す図である。例えば、「ｊｏｂ２」という処理情報１５ａのボタンラベルとして表示された各設定内容は、図１１では、「コピー」→「出力形式」→「ＤＡＤＦ」→「両→両」→「２ｕｐ」→「１００％」→「小冊子」→「仕分け」という順番で並べられていた。これに対し、図１５では、「コピー」→「出力形式」→「ＤＡＤＦ」→「両→両」→「２ｕｐ」→「小冊子」→「１００％」→「仕分け」という順番で並べられている。これは、図１０に示した重みテーブル１５ｂにおいて、「１００％」という設定内容の上位層の設定内容である「倍率」という設定内容に割り当てられている重み情報が「１０」であるのに対して、「小冊子」という設定内容に割り当てられている重み情報が「４０」であるので、重み情報が大きい「小冊子」→「１００％」という順番に並べられたためである。
【００５９】
（１０）上記第２実施形態において、重みテーブル１５ｂには、画像形成装置１において予め設けられている設定内容の組み合わせと、その設定内容の組み合わせに対して割り当てられた重みの大小を表す重み情報とが対応付けられていてもよい。例えば、重みテーブル１５ｂには、「両面／片面選択（両→両）」という設定内容と「Ｎｕｐ」という設定内容との組み合わせと、「８０」という重み情報とが対応付けられていてもよい。また、重みテーブル１５ｂには、手差しトレイにセットされた用紙の画像を読み取る「手差しトレイ」という設定内容とＯＰＨシートを読み取るための「ＯＨＰ」という設定内容との組み合わせと、「８０」という重み情報とが対応付けられていてもよい。制御部１１は、記憶部１５に記憶されている処理情報１５ａにおいて、操作によって指定された設定内容の組み合わせが多く含まれる順番を特定する。
【００６０】
（１１）上記第２実施形態において、重み情報は、画像形成装置１を製造する製造者などによって、予め設定されていた。これに対し、重み情報は、表示操作部１３の操作によって、操作者によって設定，変更されてもよい。
【００６１】
（１２）上記第２実施形態において、制御部１１は、記憶部１５に記憶されている処理情報１５ａを、指定された設定内容が多く含まれる順番に並べると共に、表示操作部１３の操作によって最後に指定された設定内容を含む処理情報１５ａのみを表示させてもよい。例えば、上述したように、「コピー」，「出力形式」，「ＤＡＤＦ」，「２ｕｐ」，「仕分け」及び「小冊子」という設定内容を指定する操作がなされた場合には、ステップＳ１３０において表示される設定画面Ｐ２３の処理情報リストＲ５には、最後に指定された「小冊子」という設定内容を含む「ｊｏｂ２」という処理情報１５ａのみが配置されることになる。すなわち、「小冊子」という設定内容を含まない「ｒｅｇ２」，「ｊｏｂ１」及び「ｒｅｇ１」という各処理情報１５ａについては表示されない。
【００６２】
（１３）上記実施形態において、記憶部１５には、処理部１４によって実行された各々の処理の設定内容を含む処理情報１５ａが、各々の処理がなされた日付と対応付けて記憶されていた。これに対し、各々の処理の設定内容を含む処理情報１５ａが、各々の処理がなされた日時と対応づけて記憶されていてもよい。本発明において「日時」とは、日付のみ、又は、日及び時刻を含む意味である。
【００６３】
（１４）情報処理装置は、実施形態で例示した画像形成装置１に限らず、処理を実行する装置であればよい。例えば入力された複数のパラメータに基づいて計算処理を実行する装置、或いは、ユーザ設定に基づいて動画や音声を再生する装置などであってもよい。また、設定内容は実施形態に例示したものに限らず、処理の内容を決定付けるものであれば何でもよい。情報処理装置が画像形成装置１ではない場合には、処理そのものの内容が異なるから、設定内容も当然異なる。
【００６４】
（１５）上記実施形態においては、画像形成装置１が表示操作部１３と処理部１４と記憶部１５という構成を備えていたが、これらの各構成を複数の装置に分散させてもよい。例えば、画像形成装置１を第１の装置とし、画像形成装置１にネットワークを介して接続されたサーバ装置を第２の装置とし、画像形成装置１及びサーバ装置にネットワークを介して接続された端末装置を第３の装置とする。そして、画像形成装置１が処理部１４を備え、サーバ装置が記憶部１５を備え、端末装置が液晶ディスプレイなどの表示部とキーボードやマウスなどの操作部とを備える。この場合には、端末装置の操作部が操作されることにより表示部の表示画面上で複数の設定内容が順次指定されると、その設定内容が端末装置からサーバ装置へと通知される。サーバ装置は、通知された設定内容と、記憶部１５に記憶されている処理情報１５ａに含まれる設定内容とを照合し、設定内容が多く含まれる処理情報１５ａをその表示順序とともに端末装置に通知する。端末装置は、サーバ装置から受け取った処理情報及び表示順序に従って、それぞれの処理情報を順番に並べて表示部に表示させる。そして、表示部に表示された複数の処理情報１５ａのうち、操作者が操作部によっていずれかを指定すると、端末装置は、指定された処理を実行するよう、画像形成装置１に指示する。この指示に応じて、画像形成装置１は処理を実行する。
上記の例は、第１の装置、第２の装置及び第３の装置が全て別々の装置であったが、第１の装置と第２の装置を同一の装置に内蔵するようにしてもよいし、第２の装置と第３の装置を同一の装置に内蔵するようにしてもよいし、第１の装置と第３の装置を同一の装置に内蔵するようにしてもよい。
【００６５】
（１６）上記実施形態において、画像形成装置１の制御部１１が実行する手順を記述したソフトウェア（プログラム）は、磁気テープ、磁気ディスク、フレキシブルディスク、光記録媒体、光磁気記録媒体、ＣＤ（Compact Disk）、ＤＶＤ（Digital Versatile Disk）、ＲＡＭなどの記録媒体に記録した状態で提供し得る。また、このプログラムをインターネットのようなネットワーク経由で各々の装置にダウンロードさせることも可能である。
【図面の簡単な説明】
【００６６】
【図１】画像形成装置１の外観を示す図である。
【図２】画像形成装置１の構成を示すブロック図である（第１実施形態）。
【図３】処理情報１５ａの一例を示す図である。
【図４】動作を示すフロー図である。
【図５】メニュー画面Ｐ１を示す図である。
【図６】設定画面Ｐ２を示す図である。
【図７】設定画面Ｐ２１を示す図である。
【図８】設定画面Ｐ２２を示す図である。
【図９】画像形成装置１の構成を示すブロック図である（第２実施形態）。
【図１０】重みテーブル１５ｂの一例を示す図である。
【図１１】設定画面Ｐ２３を示す図である。
【図１２】設定画面Ｐ３を示す図である。
【図１３】設定画面Ｐ４を示す図である。
【図１４】設定画面Ｐ５を示す図である。
【図１５】設定画面Ｐ２４を示す図である。
【符号の説明】
【００６７】
１…画像形成装置、１１…制御部、１２…通信部、１３…表示操作部、１４…処理部、１５…記憶部、１５ａ…処理情報、１５ｂ…重みテーブル。
【図１】
2008194953.tif 000003
【図２】
2008194953.tif 000004
【図３】
2008194953.tif 000005
【図４】
2008194953.tif 000006
【図５】
2008194953.tif 000007
【図６】
2008194953.tif 000008
【図７】
2008194953.tif 000009
【図８】
2008194953.tif 000010
【図９】
2008194953.tif 000011
【図１０】
2008194953.tif 000012
【図１１】
2008194953.tif 000013
【図１２】
2008194953.tif 000014
【図１３】
2008194953.tif 000015
【図１４】
2008194953.tif 000016
【図１５】
2008194953.tif 000017